(57)【特許請求の範囲】
【請求項１】
両面印刷可能な画像形成装置であって、
印刷出力する画像を表すコードデータを受信する受信手段と、
前記受信手段により受信したコードデータのヘッダ部を解析する解析手段と、
前記解析手段による前記ヘッダ部の解析結果に基づいて、前記受信手段により受信した前記コードデータを展開した画像データを白黒印刷するかカラー印刷するか、印刷出力する際の用紙サイズ及び解像度、片面印刷するか両面印刷するかを示す出力モードを認識する認識手段と、
前記認識手段により認識された出力モードが両面印刷を示す場合、前記認識手段により認識された出力モードでの両面印刷１枚に必要な金額がユーザにより投入されたかを判断する判断手段と、
前記判断手段による判断により前記両面印刷１枚に必要な金額が投入されていないと判断された場合は、片面印刷も行わないように制御する制御手段と、を有し、
前記受信手段により受信された第１のコードデータの出力モードが両面印刷の場合、当該第１のコードデータが両面１枚分のデータがあるか否かを判別し、両面１枚分のデータがある場合は当該第1のコードデータの両面１枚分の印刷に必要な金額が投入されていれば当該両面１枚分の印刷を実行し、当該金額が投入されていなければ片面印刷も行わずに当該金額が投入されるまで待機し、さらに、前記第１のコードデータの両面印刷を行っている最中に片面分のデータしかなくなると、当該片面分のデータを片面印刷し、
一方、前記第１のコードデータの出力モードが両面印刷にもかかわらず、受信した前記第１のコードデータに両面１枚分のデータが含まれていない場合、当該第１のコードデータと同じ出力モードの第２のコードデータが受信され、かつ、当該出力モードの両面１枚分の印刷に必要な金額が投入されていれば前記第１のコードデータと前記第２のコードデータとを合わせたデータの両面印刷を実行することを特徴とする画像形成装置。
【請求項２】
請求項１に記載の画像形成装置において、
前記判断手段による判断により前記両面印刷１枚に必要な金額が投入されていないと判断された場合は、料金の投入を促す通知を行うことを特徴とする画像形成装置。
【請求項３】
請求項１に記載の画像形成装置において、
前記受信手段により受信したコードデータを画像データに展開するフォーマッタ手段と、
投入金額に係らず、ユーザにより金銭が投入されたことを検出すると、前記フォーマッタ手段を前記受信手段からのコードデータを受け付けない状態から受け付ける受付状態に切替える切替手段と、を有し、
前記切替手段により前記受信手段からのコードデータを受け付ける受付状態に切替えられると、前記解析手段は前記受信手段により受信したコードデータのヘッダ部を解析することを特徴とする画像形成装置。
【請求項４】
両面印刷可能な画像形成装置の制御方法であって、
印刷出力する画像を表すコードデータを受信する受信工程と、
前記受信工程において受信したコードデータのヘッダ部を解析する解析工程と、
前記解析工程における前記ヘッダ部の解析結果に基づいて、前記受信工程において受信した前記コードデータを展開した画像データを白黒印刷するかカラー印刷するか、印刷出力する際の用紙サイズ及び解像度、片面印刷するか両面印刷するかを示す出力モードを認識する認識工程と、
前記認識工程において認識された出力モードが両面印刷を示す場合、前記認識工程において認識された出力モードでの両面印刷１枚に必要な金額がユーザにより投入されたかを判断する判断工程と、
前記判断工程における判断により前記両面印刷１枚に必要な金額が投入されていないと判断された場合は、片面印刷も行わないように制御する制御工程と、を有し、
受信した第１のコードデータの出力モードが両面印刷の場合、当該第１のコードデータが両面１枚分のデータがあるか否かを判別し、両面１枚分のデータがある場合は当該第１のコードデータの両面１枚分の印刷に必要な金額が投入されていれば当該両面１枚分の印刷を実行し、当該金額が投入されていなければ片面印刷も行わずに当該金額が投入されるまで待機し、さらに、前記第１のコードデータの両面印刷を行っている最中に片面分のデータしかなくなると、当該片面分のデータを片面印刷し、
一方、前記第1のコードデータの出力モードが両面印刷にもかかわらず、受信した前記第１のコードデータに両面１枚分のデータが含まれていない場合、当該第１のコードデータと同じ出力モードの第２のコードデータが受信され、かつ、当該出力モードの両面１枚分の印刷に必要な金額が投入されていれば前記第１のコードデータと前記第２のコードデータとを合わせたデータの両面印刷を実行することを特徴とする画像形成装置の制御方法。
【請求項５】
請求項１または２に記載の画像形成装置の各手段としてコンピュータを機能させるための、コンピュータにより実行されるプログラム。
【発明の詳細な説明】
【０００１】
【発明の属する技術分野】
本発明は、画像形成装置、特に両面印刷が可能な画像形成装置およびその制御方法に関するものである。
【０００２】
【従来の技術】
複写機のデジタル化に伴い、複写機のスキャナ機能、プリンタ機能等を利用してファクシミリ送受信を行うファクシミリ機能、ＰＤＬ（Page Description Language ）プリンタ等、複数の機能を併せ持つ複合機が実用されてきている。この種の複合機は、複写機機能、ファクシミリ機能あるいはＰＤＬプリント機能等の単機能だけでなく、たとえばＰＤＬ展開画像をファクシミリ送信するなどの複数の機能間でも動作可能となるように構成されている。さらに、複合機をＬＡＮ経由で接続することにより、コンピュータ装置等でも複合機の機能を利用可能にする。
【０００３】
また、コピー機ではコピーされた片面／両面、画象の用紙サイズ、用紙種類、用紙枚数あるいはカラー／白黒等に対して課金処理を施す機能を備えた装置が実用化されている。このコピー機では、両面コピー時には原稿を１枚ごと（片面ごと）に読み取るため、片面を印刷するごとに処理を中断して課金しながら実行していた。
【０００４】
主に圧板時、このように片面で印刷が中断しても支障をきたさなかったのは、両面印刷を要求したユーザ本人が経過を把握しつつ、コインを投入して印刷していたからである。
【０００５】
【発明が解決しようとする課題】
一方、ＰＤＬの場合は両面印刷時には、両面分のデータをまとめて印刷要求するため、片面ごとに課金処理を行なう従来のコピー機の処理をそのまま流用することはできない。
つまり、両面分のデータを受け付けているにも拘わらず、料金（コイン）の不足等により片面分の印刷しか行なわれなかった場合、ユーザに複雑な処理を要求ことになる。たとえば、ユーザが２ページ分のデータを送った場合に片面印刷しかされないと、２ページ目の印刷を行なうためには、ユーザがデータを編集し、２ページ目だけデータを送りなおさなければならない。
【０００６】
本発明はかかる実情に鑑み、適正かつ効率的に制御可能で、特に転送されたきたデータを両面印刷する場合のユーザの負荷を削減し得る両面印刷可能な画像形成装置およびその制御方法を提供することを目的とする。
【０００７】
【課題を解決するための手段】
本発明の画像形成装置は、両面印刷可能な画像形成装置であって、印刷出力する画像を表すコードデータを受信する受信手段と、前記受信手段により受信したコードデータのヘッダ部を解析する解析手段と、前記解析手段による前記ヘッダ部の解析結果に基づいて、前記受信手段により受信した前記コードデータを展開した画像データを白黒印刷するかカラー印刷するか、印刷出力する際の用紙サイズ及び解像度、片面印刷するか両面印刷するかを示す出力モードを認識する認識手段と、前記認識手段により認識された出力モードが両面印刷を示す場合、前記認識手段により認識された出力モードでの両面印刷１枚に必要な金額がユーザにより投入されたかを判断する判断手段と、前記判断手段による判断により前記両面印刷１枚に必要な金額が投入されていないと判断された場合は、片面印刷も行わないように制御する制御手段と、を有し、前記受信手段により受信された第１のコードデータの出力モードが両面印刷の場合、当該第１のコードデータが両面１枚分のデータがあるか否かを判別し、両面１枚分のデータがある場合は当該第１のコードデータの両面１枚分の印刷に必要な金額が投入されていれば当該両面１枚分の印刷を実行し、当該金額が投入されていなければ片面印刷も行わずに当該金額が投入されるまで待機し、さらに、前記第１のコードデータの両面印刷を行っている最中に片面分のデータしかなくなると、当該片面分のデータを片面印刷し、一方、前記第1のコードデータの出力モードが両面印刷にもかかわらず、受信した前記第１のコードデータに両面１枚分のデータが含まれていない場合、当該第１のコードデータと同じ出力モードの第２のコードデータが受信され、かつ、当該出力モードの両面１枚分の印刷に必要な金額が投入されていれば前記第１のコードデータと前記第２のコードデータとを合わせたデータの両面印刷を実行することを特徴とする。
【００１３】
また、本発明の画像形成装置の制御方法は、印刷出力する画像を表すコードデータを受信する受信工程と、前記受信工程において受信したコードデータのヘッダ部を解析する解析工程と、前記解析工程における前記ヘッダ部の解析結果に基づいて、前記受信工程において受信した前記コードデータを展開した画像データを白黒印刷するかカラー印刷するか、印刷出力する際の用紙サイズ及び解像度、片面印刷するか両面印刷するかを示す出力モードを認識する認識工程と、前記認識工程において認識された出力モードが両面印刷を示す場合、前記認識工程において認識された出力モードでの両面印刷１枚に必要な金額がユーザにより投入されたかを判断する判断工程と、前記判断工程における判断により前記両面印刷１枚に必要な金額が投入されていないと判断された場合は、片面印刷も行わないように制御する制御工程と、を有し、受信した第１のコードデータの出力モードが両面印刷の場合、当該第１のコードデータが両面１枚分のデータがあるか否かを判別し、両面１枚分のデータがある場合は当該第１のコードデータの両面１枚分の印刷に必要な金額が投入されていれば当該両面１枚分の印刷を実行し、当該金額が投入されていなければ片面印刷も行わずに当該金額が投入されるまで待機し、さらに、前記第１のコードデータの両面印刷を行っている最中に片面分のデータしかなくなると、当該片面分のデータを片面印刷し、一方、前記第１のコードデータの出力モードが両面印刷にもかかわらず、受信した前記第1のコードデータに両面１枚分のデータが含まれていない場合、当該第1のコードデータと同じ出力モードの第２のコードデータが受信され、かつ、当該出力モードの両面１枚分の印刷に必要な金額が投入されていれば前記第１のコードデータと前記第2のコードデータとを合わせたデータの両面印刷を実行することを特徴とする。
【００１７】
また、本発明のプログラムは、上記いずれかの画像形成装置の各手段としてコンピュータを機能させるための、コンピュータにより実行されるプログラムである。
【００１８】
【発明の実施の形態】
以下、図面に基づき、本発明の好適な実施の形態を説明する。
図１は、本発明の実施形態における画像形成装置の構成を示すブロック図である。図において、リーダ部１は原稿の画像を読み取り、原稿画像に応じた画像データをプリンタ部２および画像入出力制御部３へ出力する。プリンタ部２は、リーダ部１および画像入出力制御部３からの画像データに応じた画像を記録紙上に記録する。画像入出力制御部３はリーダ部１に接続されており、ファクシミリ部４、ファイル部５、ネットワーク用のコンピュータインタフェース部７、フォーマッタ部８、ブロックセレクション部９およびコア部１０などを含む。
【００１９】
ファクシミリ部４は、電話回線１３を介して受信した圧縮画像データを伸長して、伸長された画像データをコア部１０へ転送する。またコア部１０から転送された画像データを圧縮して、圧縮された圧縮画像データを電話回線１３を介して送信する。ファクシミリ部４にはハードディスク１１が接続されており、受信した圧縮画像データを一時的に保存することができる。
【００２０】
ファイル部５には外部記憶装置、すなわち光磁気ディスクドライブユニット６が接続されている。ファイル部５はコア部１０から転送された画像データを圧縮し、その画像データを検索するためのキーワードとともに光磁気ディスクドライブユニット６にセツトされた光磁気ディスクに記憶させる。また、ファイル部５はコア部１０を介して転送されたキーワードに基づいて光磁気ディスクに記憶されている圧縮画像データを検索し、検索された圧縮画像データを読み出して伸長し、伸長された画像データをコア部１０へ転送する。
【００２１】
コンピュータインタフェース部７は、パーソナルコンピュータあるいはワークステーション（ＰＣ／ＷＳ）１２とコア部１０の間のインタフェースであり、シリアルなどの基本インタフェースからＬＡＮまでサポートする。なお、ネットワーク機能としては、シリアル（ＳＬＩＰ）やＬＡＮ（Ｌｏｃａｌ  Ａｒｅａ    Ｎｅｔｗｏｒｋ）のまでサポートする。なお、ネットワーク機能としては、ＳＬＩＰやＬＡＮ上でＮｅｔｗａｒｅ，ＴＣＰ／ＩＰ，Ｅｔｈｅｒ  Ｔａｌｋ等のプロトコルをサポートし、ＮＦＳ等の上位レイヤのサービスもサポートする。
【００２２】
フォーマッタ部８はＰＣ／ＷＳ１２から転送された画像を表すコードデータをプリンタ部２で記録することができる画像データに展開するものである。
ブロックセレクション部９は画像データを蓄積し、その蓄積した画像データを分析して、テキスト部とイメージ部に分類し、分類されたデータとそのレイアウト情報を関連付けて管理する。
【００２３】
コア部１０については後述するが、コア部１０はリーダ部１、ファクシミリ部４、ファイル部５、ネットワーク・インタフェース部７、フォーマッタ部８、イメージメモリ部９、コインロボ部１４のそれぞれの間のデータの流れを制御する。
【００２４】
コインロボ部１４は、ユーザにより投入されたコインの料金をコア部１０に通知する。なお、コインロボ部１４が白黒／カラーの料金を管理している場合には、コア部１０に対して白黒／カラー印刷が可能かどうか、または白黒／カラー印刷それぞれの可能印刷枚数をコア部１０に通知するようにしてもよい。コア部１０はコインロボ部１４からの通知を受けてから画面を立ち上げたり、印刷動作を実施する。
【００２５】
図２は、リーダ部１およびプリンタ部２の構成を示す断面図である。リーダ部１の原稿給送装置１０１は原稿を最終頁から順に１枚ずつプラテンガラス１０２上へ給送する。原稿の読取り動作終了後、プラテンガラス１０２上の原稿を排出する。原稿がプラテンガラス１０２上に搬送されると、ランプ１０３が点灯し、そしてスキャナユニット１０４の移動を開始させて、原稿を露光走査する。このときの原稿からの反射光は、ミラー１０５，１０６，１０７およびレンズ１０８によってＣＣＤイメージセンサ（以下、ＣＣＤという）１０９へ導かれる。
【００２６】
このように走査された原稿の画像はＣＣＤ１０９によって読み取られ、ＣＣＤ１０９から出力される画像データは、所定の処理が施された後、プリンタ部２および画像入出力制御部３のコア部１０へ転送される。
【００２７】
プリンタ部２のレーザドライバ２２１はレーザ発光部２０１を駆動するものであり、リーダ部１から出力された画像データに応じたレーザ光を、レーザ発光部２０１に発光させる。このレーザ光は感光ドラム２０２に照射され、感光ドラム２０２にはレーザ光に応じた潜像が形成される。この感光ドラム２０２の潜像の部分には現像器２０３によって現像剤が付着される。そして、レーザ光の照射開始と同期したタイミングで、カセット２０４およびカセット２０５のいずれかから記録紙を給紙して転写部２０６へ搬送し、感光ドラム２０２に付着された現像剤を記録紙に転写する。現像剤の乗った記録紙は定着部２０７に搬送され、定着部２０７の熱と圧力により現像剤は記像紙に定着される。
【００２８】
定着部２０７を通過した記録紙は排出ローラ２０８によって排出され、ソータ２２０は排出された記録紙をそれぞれのビンに収納して記録紙の仕分けを行う。なお、ソータ２２０は仕分けが設定されていない場合は最上ビンに記録紙を収納する。また、両面記録が設定されている場合は、排出ローラ２０８まで記録紙を搬送した後、排出ローラ２０８の回転方向を逆転させ、フラッパ２０９によって再給紙搬送路２１０へ導く。多重記録が設定されている場合には、記録紙を排出ローラ２０８まで搬送しないようにフラッパ２０９によって再給紙搬送路２１０へ導く。再給紙搬送路２１０へ導かれた記録紙は、上述したタイミングで転写部２０６へ給紙される。
【００２９】
図３は、リーダ部１の構成例を示すブロック図である。図３において、ＣＣＤ１０９から出力された画像データは、Ａ／Ｄ・ＳＨ部１１０でアナログ／デジタル変換されるとともに、シェーディング補正が行われる。Ａ／Ｄ・ＳＨ部１１０によって処理された画像データは、画像処理部１１１を介してプリンタ部２へ転送されるとともに、インターフェイス部１１３を介して画像入出力制御部３のコア部１０へ転送される。
【００３０】
ＣＰＵ１１４は操作部１１５で設定された設定内容に応じて画像処理部１１１およびインターフェイス１１３を制御する。たとえば操作部１１５でトリミング処理を行って複写を行う複写モードが設定されている場合は、画像処理部１１１でトリミング処理を行わせてプリンタ部２へ転送させる。また、操作部１１５でファクシミリ送信モードが設定されている場合は、インターフェイス１１３から画像データと、設定されたモードに応じた制御コマンドとをコア部１０へ転送させる。このようなＣＰＵ１１４の制御プログラムはメモリ１１６に記憶されており、ＣＰＵ１１４はこのメモリ１１６を参照しながら制御を行う。また、メモリ１１６はＣＰＵ１１４の作業領域としても使われる。
【００３１】
図４は、コア部１０の構成例を示すブロック図である。図４において、リーダ部１からの画像データはインターフェイス１２２を介してデータ処理部１２１へ転送される。また、リーダ部１からの制御コマンドはインターフェイス１２２を介してＣＰＵ１２３へ転送される。データ処理部１２１は画像の回転処理や変倍処理などの画像処理を行う。リーダ部１からデータ処理部１２１へ転送された画像データは、リーダ部１から転送された制御コマンドに応じて、インターフェイス１２０を介してファクシミリ部４、ファイル部５、コンピュータインタフェース部７へ転送される。
【００３２】
また、コンピュータインタフェ一ス部７を介して入力された画像を表すコードデータは、データ処理部１２１に転送された後フォーマッタ部８へ転送されて画像データに展開される。この画像データはデータ処理部１２１に転送された後、ファクシミリ部４やプリンタ部２へ転送される。ファクシミリ部４からの画像データは、データ処理部１２１へ転送された後、プリンタ部２やファイル部５、コンピュータインタフェース部７へ転送される。また、ファイル部５からの画像データは、データ処理部１２１へ転送された後、プリンタ部２やファクシミリ部４、コンピュータインタフェース部７へ転送される。
また、コインロボ部１４からの情報は、インタフェース１２５を介してＣＰＵ１２３へ転送される。
【００３３】
ＣＰＵ１２３はメモリ１２４に記憶されている制御プログラムおよびリーダ部１から転送された制御コマンドに従って、このような制御を行う。また、メモリ１２４はＣＰＵ１２３の作業領域としても使われる。このようにコア部１０を中心にして原稿画像の読取り、画像のプリント、画像の送受信、画像の保存、コンピュータからのデータの入出力などの機能を複合させた処理を行うことが可能である。
【００３４】
つぎに図５は、本実施形態における画像形成装置の課金システムのフローを示している。
図５のステップＳ５０１において、電源投入時にコア部１０のもとで通常のコピー立上げ動作を実施する。フォーマッタ部８（ＰＤＬ）に対しては、初期化処理を実施するが、通常ＰＣ／ＷＳ１２からＰＤＬ（Page Description Language ）データ受付可能モードまで移行せず、プリント待機中としてＰＤＬデータを受け付けない状態でとめる。
【００３５】
なお、ＰＤＬデータは、図７に示すような論理構造になっている。図７において７０１はヘッダ部であり、記述言語（ＬＩＰＳ）、用紙サイズ、片面／両面等の出力モード、印刷部数等の設定に関する情報を示す。７０２はヘッダ部７０１に示された記述言語で書かれた印刷データを示す。なお、複数ページ分のデータが書かれている場合もある。
【００３６】
ステップＳ５０２において、すべてのセットアップが完了した時点で、操作部１２４でコイン投入画面を表示する。
ステップＳ５０３において、コインロボ１４にコインが投入されればステップＳ５０４へ進み、投入されなければステップＳ５０３に戻る。なお、ステップＳ５０３では、印刷に必要なコインの枚数（料金）を判断するのではなく、コインが投入されたかどうかを判断している。これは、印刷をしようとしているユーザが複合機のそばにいることを判断するために行なっている。したがって、ステップＳ５０３でコインが投入された場合には、ユーザが近くにいるものとみなしてステップＳ５０４以降の処理を行なうことになる。
【００３７】
ステップＳ５０４において、コア部１０は、コインロボ１４からのコイン投入を受けて、プリントレディ信号をＯＮにする。この信号を受けてフォーマッタ部８（ＰＤＬ）は、印字データ受付け可能とする。
【００３８】
ステップＳ５０５において、ＰＣ／ＷＳ１２の操作、もしくは操作部１１５の操作により、ＰＣ／ＷＳ１２からＰＤＬデータをコンピュータインタフェース部７経由でフォーマッタ部８に転送し、実際に展開する。そしてヘッダ部１０７を解釈することにより出力モードとして、白黒／カラー、用紙サイズ、解像度および片面／両面を明らかにし、片面印刷ならばステップＳ５０６へ、両面印刷ならばステップＳ５１１へ移行する。
【００３９】
片面印刷の場合はステップＳ５０６において、ステップＳ５０５で明らかにした出力モード（白黒／カラー、用紙サイズ、解像度、片面／両面）をコア部１０に通知する。
ステップＳ５０７において、ステップＳ５０５で確定した出力モードに基いて、コピーの課金と同じ方法で１枚目の印刷に必要な料金の算出を実施する。コインロボ１４に投入されている金額が足りていればステップＳ５０８へ、足りていなければステップＳ５０２へ戻る。
ステップＳ５０８において、フォーマッタ部８から印刷データをコア部１０に渡し、実際に印刷を実行し、ステップＳ５０９において、コインロボ１４に投入された料金から印刷した料金を差し引く等の実際の課金処理を行なう。
【００４０】
ステップＳ５１０において、ステップＳ５０５で展開したデータで印刷していないページがあるかを判断し、すべてのページの印刷が終了していれば処理を終了する。印刷するページがある場合は、ステップＳ５０７に戻り、ステップＳ５０７、ステップＳ５０８、ステップＳ５０９で残りのページの印刷を行なう。
また、両面印刷の場合はステップＳ５１１において、フォーマッタ部８で展開したデータが両面分（１面目と２面目）あるかを判別する。両面分のデータがある場合は、ステップＳ５１２において、ステップＳ５０５で明らかにした１面目と２面目の両方合せた出力モード（白黒／カラー、用紙サイズ、解像度、両面印刷）をコア部１０に通知する。
【００４１】
ステップＳ５１３において、ステップＳ５０５で確定した出力モードに基き、１枚目（両面分）の印刷に必要な料金を算出を実施する。コインロボ１４に投入されている金額が足りていればステップＳ５１４へ、足りていなければステップＳ５１８へ移行し、操作部１２４でコイン投入画面を表示する。ステップＳ５１９において、コインロボ１４にコインが投入されると、ステップＳ５１３に戻る。
【００４２】
ステップＳ５１４において、フォーマッタ部８から両面分の印刷データをコア部１０に渡し、実際に印刷を実行し、ステップＳ５１５においてコインロボ１４に投入された料金から印刷した料金を差し引く等の実際の課金処理を行なう。
スッテプＳ５１６では、ステップＳ５０５で展開したデータで印刷していないぺ一ジがあるかを判断し、すべてのぺ一ジの印刷が終了していれば処理を終了する。印刷するぺ一ジがある場合は、ステップＳ５１７において、まだ印刷していないデータが両面分あるかを判断し、両面分ある場合はステップＳ５１２に戻り、上述した両面印刷の処理を行い、両面分ない場合、すなわち片面分しかない場合は、最終ぺ一ジと判断し、ステップＳ５０７に進み、上述した片面印刷の処理を行う。
【００４３】
また、ステップＳ５１１において、両面分のデータがない場合、すなわちスナッブＳ５０５で展開したデータが片面分しかない場合は、図６のステップＳ５２０において、２面目のデータを受け付けるために、フォーマッタ部８（ＰＤＬ）を、ＰＤＬデータ受付け可能とする。そして、ＰＣ／ＷＳ１２からＰＤＬデータが転送されてくると、ステップＳ５２１において、フォーマッタ部８において転送されてきたデータを展開し、展開したデータのヘッダ部７０１を解釈することにより出力モード（白黒／カラー、用紙サイズ、解像度および片面／両面）を明らかにし、ステップＳ５０５において解析した出力モードと一致するかを判別する。
【００４４】
この判別の結果、出力モードが一致すれば、ステップＳ５１２に進み、ステップＳ５０５で展開した１面目のデータとステップＳ５２１で展開した２面目のデータとを両面分のデータとして出力モードと共にコア部１０に通知し、ステップＳ５１３以降の両面印刷の処理を行う。
【００４５】
また、ステップＳ５２１において、出力モードが一致しない場合は、ステップＳ５２２に進む。ステップＳ５２２では、操作部１１５の表示部に「片面印刷しますか？」等のメッセージを表示することにより、ステップＳ５０５で展開したデータと、ステップＳ５２１で展開したデータの夫々を片面印刷してよいかをユーザに問い合わせ、操作部１１５の操作により片面印刷が指示されると、ステップＳ５０６に進み、上述したステップＳ５０６以降の処理を行うことにより、解析した出力モードの両面の項目を片面にして、ステップＳ５０５で展開したデータと、ステップＳ５２１で展開したデータの夫々を片面印刷する。
ステップＳ５２２において、片面印刷が指示されない場合はステップＳ５２０に戻り、両面印刷が指定されているデータの受信を再度行う。
【００４６】
ここで、上述した実施形態の機能を実現するように各種のデバイスを動作させるように、上記各種デバイスと接続された装置あるいはシステム内のコンピュータに対し、上記実施形態の機能を実現するためのソフトウェアのプログラムコードを供給し、そのシステムあるいは装置のコンピュータ（ＣＰＵあるいはＭＰＵ）に格納されたプログラムに従って上記各種デバイスを動作させることによって実施したものも、本発明の範疇に含まれる。
【００４７】
また、この場合、上記ソフトウェアのプログラムコード自体が上述した実施形態の機能を実現することになり、そのプログラムコード自体、およびそのプログラムコードをコンピュータに供給するための手段、例えばかかるプログラムコードを格納した記憶媒体は本発明を構成する。かかるプログラムコードを記憶する記憶媒体としては、例えばフロッピーディスク、ハードディスク、光ディスク、光磁気ディスク、ＣＤ−ＲＯＭ、磁気テープ、不揮発性のメモリカード、ＲＯＭ等を用いることができる。
【００４８】
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等の共同して上述の実施形態の機能が実現される場合にもかかるプログラムコードは本発明の実施形態に含まれることは言うまでもない。
【００４９】
さらに、供給されたプログラムコードがコンピュータの機能拡張ボードやコンピュータに接続された機能拡張ユニットに備わるメモリに格納された後、そのプログラムの指示に基づいてその機能拡張ボードや機能拡張ユニットに備わるＣＰＵ等が実際の処理の一部または全部を行い、その処理によって上述した実施形態の機能が実現される場合にも本発明に含まれる。
【００５０】
【発明の効果】
以上説明したように本発明によれば、コピー課金のシステムをプリンタ機能を有する画像形成装置で有効利用することができる。特に白黒／カラー、用紙サイズ、解像度、片面／両面を指定できるプリントの際の両面印刷時のユーザの負荷を削減することができ、また両面印刷時に料金不足の片面中断といったリカバーの複雑な処理を実施する必要もなくなる。
【図面の簡単な説明】
【図１】本発明の実施形態における画像処理装置のブロック図である。
【図２】本発明の実施形態におけるリーダ部およびプリンタ部の断面図である。
【図３】本発明の実施形態におけるリーダ部のブロック図である。
【図４】本発明の実施形態におけるコア部のブロック図である。
【図５】本発明の実施形態における課金システムの動作例を示すフローチャート図である。
【図６】本発明の実施形態における課金システムの動作例を示すフローチャート図である。
【図７】本発明の実施形態におけるＰＤＬデータの論理構造を示す図である。
【符号の説明】
１    リーダ部
２    プリンタ部
３    画像入出力制御部
４    ファクシミリ部
５    ファイル部
７    コンピュータインタフェース部
８    フォーマッタ部
９    ブロックセレクション部、
１０    コア部
１１    ハードディスク部
１２    ＰＣ／ＷＳ部
１４    コインロボ部
１０１    原稿給送装置
１０２    プラテンガラス
１０３    ランプ
１０４    スキャナユニット
１０５，１０６，１０７    ミラー
１０９    ＣＣＤ
１１０    Ａ／Ｄ・ＳＨ部
１１１    画像処理部
１１３    インターフェイス
１１４    ＣＰＵ
１１５    操作部
１１６    メモリ
１２１    データ処理部
１２３    ＣＰＵ
１２４    メモリ
２０１    レーザ発光部
２０２    感光ドラム
２０３    現像器
２０４，２０５    カセット
２０６    転写部
２０７    定着部
２０８    排出ローラ
２０９    フラッパ
２１０    再給紙搬送路
２２０    ソータ
２２１    レーザドライバ
【図１】
0004612775.tif 000002
【図２】
0004612775.tif 000003
【図３】
0004612775.tif 000004
【図４】
0004612775.tif 000005
【図５】
0004612775.tif 000006
【図６】
0004612775.tif 000007
【図７】
0004612775.tif 000008